(57)【要約】【課題】本発明は、ＦＰＣ４０又はＦＦＣをコネクタ１０に嵌合させた際にハウジング１２が変形することなく、コネクタ１０の低背位化が可能なコネクタ１０を提供せんとするものである。【解決手段】本発明の目的は、ＦＰＣ４０又はＦＦＣと着脱自在に嵌合するコネクタ１０であって、ＦＰＣ４０又はＦＦＣと接触する接触部２２を有する所要数のコンタクト１４と、このコンタクト１４が保持・固定されるとともにＦＰＣ４０又はＦＦＣが挿入される嵌合口１８を有するハウジング１２を備えるコネクタ１０において、コンタクト１４の接触部２２と対向する位置に板状片４４、４６を配置することにより達成できる。【選択図】  図２
2004214124.tif 000002
【特許請求の範囲】
【請求項１】
フレキシブルプリント基板（ＦＰＣ）又はフレキシブルフラットケーブル（ＦＦＣ）と着脱自在に嵌合するコネクタであって、該フレキシブルプリント基板又は前記フレキシブルフラットケーブルと接触する接触部を有する所要数のコンタクトと、このコンタクトが保持・固定されるとともに前記フレキシブルプリント基板又は前記フレキシブルフラットケーブルが挿入される嵌合口を有するハウジングを備えるコネクタにおいて、
前記コンタクトの接触部と対向する位置に板状片を配置したことを特徴とするコネクタ。
【請求項２】
前記板状片を前記ハウジングの嵌合口内に突出するように配置したことを特徴とする請求項１記載のコネクタ。
【請求項３】
前記板状片を前記コンタクトの接触部と対向する部分にだけ配置したことを特徴とする請求項１乃至２記載のコネクタ。
【請求項４】
前記板状片を前記ハウジングの長手方向両側より外側に突出させ、固定具としての役割を持たせたことを特徴とする請求項１乃至２記載のコネクタ。
【請求項５】
前記板状片を前記ハウジングと一体構造にしたことを特徴とする請求項３乃至４記載のコネクタ。
【請求項６】
前記板状片を０．０８〜０．１２ｍｍ程度の厚さのステンレスにしたことを特徴とする請求項３記載のコネクタ。
【請求項７】
前記板状片を前記ハウジングに一体成形又は後付けにより一体にしたことを特徴とする請求項５記載のコネクタ。
【請求項８】
前記コンタクトの接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、スライダーに長手方向に連設した押圧部を設け、該押圧部が前記コンタクトの接続部と押受部との間で回動自在に前記スライダーを前記ハウジングに装着したことを特徴とする請求項４記載のコネクタ。
【発明の詳細な説明】
【０００１】
【発明の属する技術分野】
本発明は、携帯電話やノートパソコンやデジタルカメラ等に使用されるコネクタに関するもので、特にフレキシブルプリント基板（以下「ＦＰＣ」という）又はフレキシブルフラットケーブル（以下「ＦＦＣ」という）にコネクタを取付る場合の補強に関するものである。
【０００２】
【従来の技術】
携帯電話やＣＣＤカメラ等に使用されるコネクタは、狭ピッチで極薄（所謂軽薄短小）であり、主にハウジングとコンタクトとを備え、ハウジングにＦＰＣ又はＦＦＣを挿入し、コンタクトの接触部に接触させる構造のもの（所謂、ノンＺＩＦタイプ）や主にハウジングとコンタクトとスライダーとを備え、ハウジングとスライダーとでＦＰＣ又はＦＦＣを挟持する構造のもの（所謂、ＺＩＦタイプとピアノタッチタイプ）がある。ハウジングとスライダーとでＦＰＣ又はＦＦＣを保持する方法には、色々考えられるが、中でもハウジングにＦＰＣ又はＦＦＣを挿入した後にスライダーを挿入しＦＰＣ又はＦＦＣをコンタクトに押しつける構造のものが多い。また、客先の仕様や狭ピッチを図るためには、前記コンタクトの接続部を前記ハウジングの嵌合口側に配置しなければならないこともある。ハウジングには、コンタクトが挿入される所要数の挿入孔が設けられるとともにＦＰＣ又はＦＦＣが挿入される嵌合口が設けられている。
前記コンタクトは主にＦＰＣ又はＦＦＣと接触する接触部と基板等に接続する接続部とハウジングに固定される固定部とを備えるとともに圧入等によってハウジングに固定され、前記ハウジングの嵌合口にＦＰＣ又はＦＦＣを挿入すると前記コンタクトの接触部と接触する構造になっている。
【０００３】
【特許文献１】
例えば、ゼロインサーションフォース構造としては、実開平６−６０９８３号がある。実開平６−６０９８３号の要約によると、その目的は、電子機器や通信機器内の狭いスペースに使用されるスライダー付プリント基板用コネクタに関するものであり、その構成は、コネクタのスライダーの両側端部にそのスライダーが挿入されるハウジングへの挿入ガイドとして手前側が固定されたＵ字形状のアーム部を形成し、そのＵ字形状のアーム部の開放端側に凸部を設けるとともに、Ｕ字形状のアーム部の開放端が挿入方向から目視できるように切欠部を設け、ハウジングの両側端部にはスライダーの凸部が係合する傾斜面を有する突出部を設け、スライダーをフレキシブル・プリント基板の接続端子部とともにハウジングに挿入されるとき、当該スライダーの凸部がハウジングの傾斜面を有する突出部を乗り越えることにより、そのＵ字形状のアーム部の開放端が一時的に外側に広げられ、かつ挿入完了時にその開放端が正常位置に復帰するようにしたコネクタが開示されている。
【０００４】
【特許文献２】
所謂、ピアノタッチ構造としては、特開平１３−２５７０２０号に、コネクタのコンタクトとＦＰＣ叉はＦＦＣのパターンとの位置合わせを確実に行うことを目的とし、該文献２には、ＦＰＣ叉はＦＦＣが挿入される開口側の、コネクタの端子ブロックの各コンタクト間の稜線上に突起を列設して、端子ブロックにＦＰＣ叉はＦＦＣを挿入した後に、スライダを移動させることによってＦＰＣ叉はＦＦＣを前記コンタクトに押圧させ、前記スライダでＦＰＣ叉はＦＦＣをコンタクトに押しつけ電気接続させる際に、この突起がＦＰＣ叉はＦＦＣのパターン間の凹部に入ることにより、コネクタのコンタクトとＦＰＣ叉はＦＦＣのパターンとの位置合わせを確実に行うものが開示されている。
【０００５】
【発明が解決しようとする課題】
近年、この種のコネクタには、電気機器（電子機器）等の小型化に伴い、狭ピッチで極薄（所謂軽薄短小）であり、より一層の低背位化の要求が強くなってきており、その使用用途によってはＦＰＣに取付られることがあった。
上述した構造のコネクタでは低背位化が進み、前記ハウジングの上下側の肉厚は、０．１５〜０．２５ｍｍという極薄になってきている。このように極薄になっているコネクタに、ＦＰＣ又はＦＦＣを取付ると、ＦＰＣ又はＦＦＣをコネクタに嵌合させた際に、ＦＰＣ又はＦＦＣとコンタクトとの接触圧に耐えられず、ハウジングが変形し安定した接触圧を得ることが出来ず、しいてはハウジングが破損したりして接続不良が発生するといった課題があった。
また、ハウジングが変形しないように肉厚を厚くすると低背位化に逆行し相反することになる。
上記に挙げた、文献１及び文献２では、コネクタが狭ピッチで極薄（所謂軽薄短小）であり、より一層の低背位化すると、ここに記載した問題が発生することになる。
【０００６】
本発明は、このような従来の問題点に鑑みてなされたもので、ＦＰＣ又はＦＦＣをコネクタに嵌合させた際にハウジングが変形することなく、コネクタの低背位化が可能なコネクタを提供せんとするものである。
【０００７】
【課題を解決するための手段】
本発明の目的は、前記ＦＰＣ４０又は前記ＦＦＣと着脱自在に嵌合するコネクタ１０であって、該ＦＰＣ４０又は前記ＦＦＣと接触する接触部２２を有する所要数のコンタクト１４と、このコンタクト１４が保持・固定されるとともに前記ＦＰＣ４０又は前記ＦＦＣが挿入される嵌合口１８を有するハウジング１２を備えるコネクタ１０において、前記コンタクト１４の接触部２２と対向する位置に板状片４４、４６を配置することにより達成できる。
【０００８】
前記板状片４４、４６を前記ハウジング１２の嵌合口１８内に突出するように配置する。このように配置することで、容易に前記板状片４４、４６を前記ハウジング１２に固定することができる。
前記板状片４４、４６を前記コンタクト１４の接触部２２と対向する部分にだけ配置する。
前記板状片４６を前記ハウジング１２の長手方向両側より外側に突出させ、固定具としての役割を持たせる。このように固定具としての役割も持たせることで、確実にＦＰＣ等に固定することができる。
前記板状片４４、４６を前記ハウジング１２と一体構造にする。
前記板状片４４、４６を０．０８〜０．１２ｍｍ程度の厚さのステンレスにする。０．０８ｍｍ以下では前記ハウジング１２の変形を防ぐことができなく、０．１２ｍｍ以上にするとコネクタ１０の低背位化を妨げることになる。理想的には、０．１ｍｍが良い。
前記板状片４４、４６を前記ハウジング１２に一体成形又は後付けにより一体にする。
前記コネクタ１０にスライダー１６を装着し、前記コンタクト１４の接触部２２と接続部２４との間に弾性部３４と支点部３２とを設けるとともに前記接触部２２と前記弾性部３４と前記支点部３２と前記接続部２４とを略クランク形状に配置し、かつ、前記接続部２４と対向する位置に前記弾性部３４から延設された押受部２０を設け、スライダー１６に長手方向に連設した押圧部３６を設け、該押圧部３６が前記コンタクト１４の接続部２４と押受部２０との間で回動自在に前記スライダー１６を前記ハウジング１２に装着する。
【０００９】
【発明の実施の形態】
本発明の重要な特徴は、「前記コンタクトの接触部と対向する位置に板状片を配置した」点にある。この特徴を活かした形態には、３つのタイプがあり、ＦＰＣ又はＦＦＣをコンタクトに接触させる構造である点では同じであるが、ＦＰＣ又はＦＦＣをコンタクトに接触させる仕方に相違がある。
第一の構造のコネクタは、主にハウジングとコンタクトとスライダーとを備えており、前記スライダーが回動してＦＰＣ又はＦＦＣをコンタクトに押しつけるタイプのものであり、所謂ピアノタッチ方式と称するタイプのコネクタである。前記スライダーを回動させる位置としては、嵌合側であったり、コンタクト接続側（テール側）であったりするが、本発明のように板状片を配置するものではコンタクト接続側（テール側）で回動するものであり、以下の実施例では、このタイプのものを図１から図３に基づいて詳細に説明する。
【００１０】
第二の構造のコネクタは、第一と同様に主にハウジングとコンタクトとスライダーとを備えており、前記スライダーを前記ハウジングの嵌合口へ挿入して、前記ＦＰＣ又は前記ＦＦＣを前記コンタクトに押しつけるタイプのものであり、所謂ＺＩＦ構造（ゼロ  インサーション  フォース）タイプ）のコネクタと称するものである。即ち、前記ハウジングの嵌合口から前記ＦＰＣ又は前記ＦＦＣを挿入した後に、前記スライダーを前記嵌合口内に挿入して、前記ＦＰＣ又は前記ＦＦＣを前記コンタクトに押しつけるものである。
第三の構造のコネクタは、主にハウジングとコンタクトとを備えており、前記ＦＰＣを前記ハウジングの嵌合口へ挿入して、前記ＦＰＣ又は前記ＦＦＣを前記コンタクトに接触させる（押しつける）タイプのものであり、スライダーを使用しない所謂ＮＯＮ  ＺＩＦタイプのコネクタと称されるものである。即ち、前記ＦＰＣ又は前記ＦＦＣの厚さより狭い、前記コンタクト接触部間や前記コンタクトと前記ハウジングとの間に、前記ＦＰＣ又は前記ＦＦＣを無理に挿入して、前記コンタクトに接触させる（押しつける）ものである。
上述した３つの構造のもの全てに、前記コンタクトの接触部と対向する位置に板状片を配置し、前記ハウジングを補強していることは言うまでもない。
【００１１】
【実施例】
図１から図４に基づいて、本発明のコネクタの一実施例について説明する。図１（Ａ）はスライダーが開いた状態の嵌合口側からみた本発明のコネクタの斜視図であり、（Ｂ）はスライダーが開いた状態のテール側からみた本発明のコネクタの斜視図である。図２（Ａ）はスライダーが開いた状態のあるコンタクト部分で切断した本発明のコネクタの斜視図であり、（Ｂ）はスライダーが閉じた状態のあるコンタクト部分で切断した本発明のコネクタの斜視図である。図３はスライダーの斜視図である。図４（Ａ）は板状片の一例を示した斜視図であり、（Ｂ）は板状片の別の一例を示した斜視図である。
本発明のコネクタは、主にハウジングとコンタクトとスライダーと板状片とを備えている。
【００１２】
図に基づいて本発明のコネクタの構成部品について説明する。
まず、本発明のポイントである板状片について説明する。
該板状片４４、４６の役割は、前記ＦＰＣ４０又はＦＦＣを前記ハウジング１２の嵌合口１８内に挿入した際に前記コンタクト１４の接触部２２の接触力によって前記ＦＰＣ４０又は前記ＦＦＣが下方向（図２の下側  ）に押され、しいては前記ハウジング１２が下方向に押された時に、前記ハウジング１２の変形を防止するためのものである。
前記板状片４４、４６の材質としては、前記ハウジング１２の変形を防止するとともにコネクタ１０の低背位化も要求されるので、薄くて堅く、加工性（メッキ加工を含む）がよいものが良いことから、ステンレスが理想的である。前記板状片４４、４６の大きさは、上記役割や芯数やコンタクトピッチ等によって適宜設計されている。
【００１３】
前記板状片４４、４６を０．０８〜０．１２ｍｍ程度の厚さにする。０．０８ｍｍ以下では前記ハウジング１２の変形を防ぐことができなく、０．１２ｍｍ以上にするとコネクタ１０の低背位化を妨げることになる。理想的には、０．１ｍｍが良い。
前記板状片４４、４６は、何らかの手段によって前記ハウジング１２に一体構造になるように固着されている。ここでいう固着とは、一体成形や圧入や接着やフックなどによって前記ハウジング１２と一体構造にすることである。一体成形の場合、前記板状片４４、４６が完全に絶縁物である前記ハウジング１２に覆われるものでも良いし、前記板状片４４、４６の一部が表面に露出したものでも良い。（例えば、嵌合口１８内とか、コンタクト１４の接続部２４側とか。）
【００１４】
前記板状片４４、４６の形状は、上述した役割を満足出来ればいかなるものでもよく、例えば、図４（Ａ）のような薄い板条材でもよい。
上述した役割以外の機能を持たせても良い。例えば、図１及び図４（Ｂ）のように板状片４６をコネクタ１０の長手方向両側より突出させて、突出させた部分をＦＰＣや基板等に半田付け出来る形状にし、固定具としての機能を持たせてもよい。
【００１５】
次に、ハウジングについて説明する。このハウジングは電気絶縁性のプラスチックであり、公知技術の射出成形によって製作され、この材質としては寸法安定性や加工性やコスト等を考慮して適宜選択するが、一般的にはポリフェニレンサルファイド（ＰＰＳ）やポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング１２には、前記ＦＰＣ４０や前記ＦＦＣが挿入される嵌合口１８が設けられており、また、所要数のコンタクト１４が装着される挿入溝３８が設けられ、圧入や引っ掛け（ランス）や溶着等によって固定されている。また、長手方向両側には、前記スライダー１６の軸２８が回動可能に装着される軸受部が設けられている。この軸受部の形状や大きさは、スライダー１６の軸２８が回動できるように装着されていれば如何なるものでもよく、この役割やハウジング１２の強度や大きさ等を考慮して適宜設計する。なお、長手方向両側には、前記スライダー１６のロック部に対応した位置に係止部が設けられている。
【００１６】
次に、コンタクトについて説明する。このコンタクトは金属製であり、公知技術のプレス加工によって製作されている。前記コンタクトの材質としては、バネ性や導電性などが要求されるので、黄銅やベリリウム銅やリン青銅等を挙げることができる。
前記コンタクト１４は、図２（Ａ）のように略逆ｈ字形状をしており、主にＦＰＣ４０又はＦＦＣと接触する接触部２２と基板に接続する接続部２４とハウジング１２に固定する固定部４２と前記接触部２２と前記接続部２４との間に設けられた弾性部３４及び支点部３２と前記接続部２４と対向する位置に前記弾性部３４から延設された押受部２０とを備えている。前記接触部２２と前記弾性部３４と前記支点部３２と前記接続部２４とは、略クランク形状に配置されている。前記接触部２２は、ＦＰＣ４０又はＦＦＣと接触し易いように凸部形状にしており、前記接続部２４は本実施例では図１のように表面実装タイプ（ＳＭＴ）にしているが、ディップタイプでも良い。
【００１７】
前記支点部３２と前記弾性部３４と前記押受部２０とは、前記ＦＰＣ４０又はＦＦＣが挿入された際に、次のような作用を果たすための部分である。前記ＦＰＣ４０又はＦＦＣが前記ハウジング１２の嵌合口１８内に挿入された後に、前記スライダー１６の押圧部３６が前記コンタクト１４の接続部２４と押受部２０との間で回動すると、前記押受部２０が押圧部３６によって押し上げられることで前記コンタクト１４の支点部３２を支点にし、前記コンタクト１４の弾性部３４が前記接触部２２側に傾くことによって、前記接触部２２が前記ＦＰＣ４０又はＦＦＣ側に押圧される。前記支点部３２と前記弾性部３４と前記押受部２０の大きさや形状は、このような作用を果たすために、適宜設計されている。
また、前記コンタクト１４の押受部２０の先端に突出部２６を設け、スライダー１６の押圧部３６をコンタクト１４の押受部２０と接続部２４との間で回動させるときスライダー１６の回動に対する反発力が強い為に、スライダー１６の中央部が図１（Ｂ）の矢印「ロ」方向に膨れてしまうことを防ぐようにすることが望ましい。前記突出部２６の大きさは、このような役割を果たすことが出来れば如何なる大きさでもよく、スライダー１６の押圧部３６が引っ掛かる程度に適宜設計する。
前記ハウジング１２の嵌合口１８に前記ＦＰＣ４０又はＦＦＣの挿入されると、前記コンタクト１４の接触部２２によって前記ＦＰＣ４０又はＦＦＣは下方向に押しつけられた際に、前記ハウジング１２の反発力により、前記コンタクト１４と前記ＦＰＣ４０又は前記ＦＦＣとが安定した接続が得られるようになっている
【００１８】
最後に、スライダーについて説明する。このスライダーは電気絶縁性のプラスチックであり、公知技術の射出成形によって製作され、この材質としては寸法安定性や加工性やコスト等を考慮して適宜選択するが、一般的にはポリフェニレンサルファイド（ＰＰＳ）やポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該スライダー１６は主にハウジング１２に回動可能に装着される軸２８部分と前記コンタクト１４の押受部２０を押圧する押圧部３６と前記コンタクト１４の突出部２６が係合する係止孔３０とを備えている。前記軸２８は、スライダー１６を回動するための支点であり、ハウジング１２の長手方向両側にスライダー１６が回動可能に適宜装着されている。また、長手方向両側には、前記コンタクト１４の押受部２０を押圧した際にスライダー１６が高さ（図１の上）方向に持ち上がらないようにするためにハウジング１２と係合するロック部が設けられている。ロック部の形状や大きさ等は、ハウジング１２に係合できれば如何なるものでもよく、上述の役割やコネクタの大きさや強度等を考慮して適宜設計する。
【００１９】
前記押圧部３６は、コンタクト１４の押受部２０に押し付ける部分であり、その形状としては細長形状にすることが望ましく、本実施例では楕円形状をしている。このように楕円形状にすることによって、図２（Ａ）のようにスライダー１６を矢印「イ」方向に回動させ、コンタクト１４の押受部２０と接続部２４との間で回転させることで、押圧部３６の大きさの変化によりコンタクト１４の押受部２０が持ち上げられ、ＦＰＣ４０又はＦＦＣをコンタクト１４の接触部２２側に押し付けている。押圧部３６の形状としては、コンタクト１４の押受部２０と接続部２４との間で回転でき、長軸と短軸といった大きさの違いによりコンタクト１４の押受部２０を押し上げられれば、如何なるものでもよい。
また、前記スライダー１６を回動した際に、スライダー１６の回動に対する反発力が強く、スライダー１６の中央部が図１（Ｂ）の矢印「ロ」方向に膨れてしまうことを防ぐようにする為に、前記コンタクト１４の突出部２６が係合する係止孔３０が別個独立に設けられている。前記係止孔３０を別個独立に設けることで、スライダー１６の強度アップや回動時の変形を防止している。
【００２０】
上述した「発明の実施の形態」で記載した第二の構造のコネクタ（所謂ＺＩＦ構造（ゼロ  インサーション  フォース）タイプ））と第三の構造のコネクタ（スライダーを使用しない所謂ＮＯＮ  ＺＩＦタイプ）でも、「前記コンタクトの接触部と対向する位置に板状片を配置した」ことを基本に、上述したようなことを注意しながら適宜設計する。
【００２１】
【発明の効果】
以上の説明から明らかなように、本発明のコネクタによると、次のような優れた効果が得られる。
（１）前記ＦＰＣ４０又は前記ＦＦＣを前記ハウジング１２の嵌合口１８内に挿入すると、前記コンタクト１４の接触部２２の接触力によって前記ＦＰＣ４０又は前記ＦＦＣが下方向（図２の下側  ）に押され、しいては前記ハウジング１２が下方向に押されることになるが、前記ハウジング１２に固着された板状片４４、４６によりハウジング１２の変形が防止されるので、安定した接続を得ることができる。
（２）前記板状片４４、４６の厚さを０．０８〜０．１２ｍｍ程度にしているので、コネクタ１０の低背位化に影響を与えることがない。
（３）前記板状片４４、４６を前記ハウジング１２の嵌合口１８内に突出するように配置しているので、容易に前記板状片４４、４６を前記ハウジング１２に固定することができる。
（４）前記板状片４６を前記ハウジング１２の長手方向両側より外側に突出させ、固定具としての役割を持たせることで、確実にＦＰＣ等に固定することができる。
（５）前記板状片４４、４６を前記ハウジング１２に固着することで、前記コンタクト１４を前記コンタクトの支点部３２から嵌合口１８方向へ延設する必要がなくなり、該延設部分より前記板状片４４、４６の方が薄くすることができ、かつ、前記ハウジングも前記コンタクトの延設部分を保持するよりは肉厚を薄くすることが出来るので、総合的により一層の低背位化が可能になった。
（６）前記板状片４４、４６を前記ハウジング１２に固着することで、前記ＦＰＣ４０又は前記ＦＦＣを嵌合口１８に挿入した際に、０．２ｍｍ以下の前記ハウジング１２の肉厚（板状片４４、４６を含めた肉厚）でも変形することが無くなった。
（７）前記ハウジング１２と前記板状片４４、４６を一体成形や後付けにより一体構造にすることにより、より安定した接続を得ることができる。
（８）前記板状片４４、４６をステンレスにすることで、前記ハウジング１２が変形することがなく、安定した接続を得ることができる。
【図面の簡単な説明】
【図１】（Ａ）
スライダーが開いた状態の嵌合口側からみた本発明のコネクタの斜視図である。
（Ｂ）
スライダーが開いた状態の接続部側からみた本発明のコネクタの斜視図である。
【図２】（Ａ）
スライダーが開いた状態のあるコンタクト部分で切断した本発明のコネクタの斜視図である。
（Ｂ）
ＦＰＣが挿入されスライダーが閉じた状態のあるコンタクト部分で切断した本発明のコネクタの斜視図である。
【図３】スライダーの斜視図である。
【図４】（Ａ）
板状片の一例を示した斜視図である。
（Ｂ）
板状片の別の一例を示した斜視図である。
【符号の説明】
１０          コネクタ
１２          ハウジング
１４          コンタクト
１６          スライダー
１８          嵌合口
２０          押受部
２２          接触部
２４          接続部
２６          突出部
２８          軸
３０          係止孔
３２          支点部
３４          弾性部
３６          押圧部
３８          挿入溝
４０          ＦＰＣ
４２          固定部
４４、４６    板状片
【図１】
2004214124.tif 000003
【図２】
2004214124.tif 000004
【図３】
2004214124.tif 000005
【図４】
2004214124.tif 000006